(57)【要約】【課題】スピンドルモータ駆動回路の許容損失内で最大駆動を可能とする信頼性の高い光ディスク装置を提供する。【解決手段】光ディスク１を回転するスピンドルモータ２と、このスピンドルモータ２を回転駆動する駆動電圧を供給するモータ駆動回路３と、このモータ駆動回路３の温度を検出する温度検出回路６と、スピンドルモータ２の回転を制御する制御電圧を制限するモータ制御電圧制限回路１４とを備え、スピンドルモータ駆動回路３の温度が所定の温度を越えたとき、モータ制御電圧制限回路１４がスピンドルモータ２に供給する制御電圧を制限する。【選択図】図１
2006228338.tif 000002
【特許請求の範囲】
【請求項１】
光ディスクを回転させるモータ駆動手段と、
前記モータ駆動手段が所定の温度を超えたことを検出する第１の温度検出手段と、
前記モータ駆動手段が出力するモータ駆動電圧を検出するモータ駆動電圧検出手段と、
前記モータ駆動手段を介して光ディスクの回転を制御するモータ制御手段と、
前記第１の温度検出手段が前記所定の温度を超えたことを検出したとき、前記モータ駆動電圧検出手段が検出した駆動電圧に応じて、前記モータ制御手段に入力する制御電圧を制限する制御電圧制限手段とを備えることを特徴とする光ディスク装置。
【請求項２】
前記光ディスクの情報層に対し所望の情報信号を授受する光ピックアップと、
前記光ピックアップを前記光ディスクの所望の情報トラックに移動する光ピックアップ移動手段と、
前記モータ駆動手段、前記第１の温度検出手段、前記モータ駆動電圧検出手段、前記制御電圧制限手段、前記光ピックアップ、及び前記光ピックアップ移動手段を含む装置の温度を検出する第２の温度検出手段と、
前記第２の温度検出手段が所定の温度を超えたことを検出したとき、前記光ピックアップ移動手段の移動速度を遅くするシーク遅延手段とをさらに備えることを特徴とする請求項１記載の光ディスク装置。
【請求項３】
光ディスクを回転させるモータ駆動手段と、
前記モータ駆動手段が所定の温度を超えたことを検出する第１の温度検出手段と、
前記モータ駆動手段が出力するモータ駆動電圧を検出するモータ駆動電圧検出手段と、
前記モータ駆動手段を介して光ディスクの回転を制御するモータ制御手段と、
前記モータ駆動手段で前記光ディスクの回転を繰り返し変化させ、前記第１の温度検出手段が前記所定の温度を超えたことを検出したときの繰り返し回数に応じて、前記モータ制御手段に入力する制御電圧を制限する制御電圧制限手段とを備えることを特徴とする光ディスク装置。
【発明の詳細な説明】
【技術分野】
【０００１】
本発明は、光ディスク装置のスピンドルモータ制御に関するものである。
【背景技術】
【０００２】
光ディスクおよびハードディスクを内蔵した映像および音楽を記録、再生するＤＶＤレコーダが普及してきている。この複数の記録媒体を備えることで、ハードディスクに記録した情報信号を光ディスクに編集する場合、または光ディスクに記録した情報信号をハードディスクに編集する場合は短時間で行いたいという要望が増え、高速記録再生技術に対して強い要請があり、高速記録再生を実現するためには少なくとも光ディスクを高速回転させる必要がある。モータを高速回転すると、モータが消費する電力が増大する。
【０００３】
また、情報信号が光ディスクに点在する場合、線速度一定（ＣＬＶ）で半径位置に応じて回転数が変わるモータ制御方式、または領域毎に段階的に回転数が変わる（ＺＣＡＶ）モータ制御方式で光ディスクに記録されていると、半径方向で回転数が変化するのでアクセスを頻繁に行うとモータ部での電流が増加、すなわちモータの消費電力が増大する。
【０００４】
モータの消費電力を低減する技術は、例えば特許文献１では、光ディスク回転起動時に一定時間電流制限を行った後で、その電流制限の値を変更し、制限電流値を増すスピンドルモータの制御回路が提案されている。
【特許文献１】特開平５−３２５３８９号公報
【発明の開示】
【発明が解決しようとする課題】
【０００５】
しかしながら、実際の光ディスク装置においては、前述したように回転起動時のみならず、高速回転に起因する発熱、および高速回転中にも回転数を変化させることに起因する発熱に対しても配慮する必要性があり、特許文献１のみで解決できる範囲はごく限られている。また、モータの消費電力増大は、モータ自体の発熱およびモータを駆動する電力を付与するモータ駆動回路の発熱を引き起こし、これらが相俟って周囲の温度を高める。周囲環境の温度が高い状態でモータの高回転数の変化を繰り返すと、温度が上がってモータ駆動回路の熱保護回路が働き、回転動作を停止することが発生する課題がある。
【０００６】
そこで本発明は、モータの回転数を安定に駆動し、信頼性の高い光ディスク装置を得ることを目的とする。
【課題を解決するための手段】
【０００７】
本発明の光ディスク装置は、光ディスクを回転させるモータ駆動手段と、前記モータ駆動手段が所定の温度を超えたことを検出する第１の温度検出手段と、前記モータ駆動手段が出力するモータ駆動電圧を検出するモータ駆動電圧検出手段と、前記モータ駆動手段を介して光ディスクの回転を制御するモータ制御手段と、前記第１の温度検出手段が前記所定の温度を超えたことを検出したとき、前記モータ駆動電圧検出手段が検出した駆動電圧に応じて、前記モータ制御手段に入力する制御電圧を制限する制御電圧制限手段とを備える構成を有する。
【０００８】
また、上記光ディスク装置に、前記光ディスクの情報層に対し所望の情報信号を授受する光ピックアップと、前記光ピックアップを前記光ディスクの所望の情報トラックに移動する光ピックアップ移動手段と、前記モータ駆動手段、前記第１の温度検出手段、前記モータ駆動電圧検出手段、前記制御電圧制限手段、前記光ピックアップ、及び前記光ピックアップ移動手段を含む装置の温度を検出する第２の温度検出手段と、前記第２の温度検出手段が所定の温度を超えたことを検出したとき、前記光ピックアップ移動手段の移動速度を遅くするシーク遅延手段とをさらに備える構成を有する。
【０００９】
また、本発明の光ディスク装置は、光ディスクを回転させるモータ駆動手段と、前記モータ駆動手段が所定の温度を超えたことを検出する第１の温度検出手段と、前記モータ駆動手段が出力するモータ駆動電圧を検出するモータ駆動電圧検出手段と、前記モータ駆動手段を介して光ディスクの回転を制御するモータ制御手段と、前記モータ駆動手段で前記光ディスクの回転を繰り返し変化させ、前記第１の温度検出手段が前記所定の温度を超えたことを検出したときの繰り返し回数に応じて、前記モータ制御手段に入力する制御電圧を制限する制御電圧制限手段とを備える構成を有する。
【発明の効果】
【００１０】
本発明の光ディスク装置は、スピンドルモータ駆動回路の許容損失内で最大駆動を可能とした安定な駆動系を構築し、信頼性の高い光ディスクを得るという利点がある。
【発明を実施するための最良の形態】
【００１１】
次に、本発明の尤も好ましい実施形態について、図面を参照して説明する。図１は、本発明装置の一実施形態のブロック図である。光ディスク１はスピンドルモータ２により回転する。スピンドルモータ２の回転数は回転数検出回路５により検出され、モータ制御回路４を介してモータ制御回路４でコントロール回路１３にて設定される所望の回転数に、モータ駆動回路３を介して制御される。
【００１２】
光ディスク１の情報信号は光ヘッド８で検出し、信号処理回路１５で経てコントロール回路１３で処理する。光ヘッド８はアクチュエータ９を内蔵し、アクチュエータ９により光ディスク１の情報トラックに対する焦点方向および半径方向に駆動される。アクチュエータ９は、サーボ誤差信号検出回路１２の出力に応じてアクチュエータ駆動回路１１により制御される。サーボ誤差信号は、情報トラックとのずれであるトラッキング信号、および情報トラックの記録面とのずれであるフォーカス信号からなる。アクチュエータ９の駆動範囲を超えて光ヘッド８を移動させる場合は、コントロール回路１３によりトラバース駆動回路１７からトラバースモータ１６を駆動する。
【００１３】
前述したように、光ディスク１を回転させるスピンドルモータ２を高回転で回転させると、スピンドルモータ２で消費する電力が増加する。また、情報信号が光ディスク１に点在する場合、光ディスク１への記録がＣＬＶまたはＺＣＡＶで記録する場合、またはＣＬＶもしくはＺＣＡＶで光ディスク１に記録した情報信号を再生する場合には、光ディスク１の半径方向で回転数を変化させる必要があるため、アクセスを頻繁に行うとスピンドルモータ２での電流が増加し、モータ駆動回路３の発熱が増加する。更に高温の環境において、上述のようなスピンドルモータ２およびモータ駆動回路３の発熱を続けると、モータ駆動回路３の熱保護回路（図示は省略）が、働きモータ駆動が停止することになる。
【００１４】
このようにスピンドルモータ２の停止を抑制するため、温度検出回路６でモータ駆動回路３の温度を検出し、所定の温度を超えたときモータ制御電圧制限回路１４でモータ制御回路４の制御電圧を制限し、スピンドルモータ２の駆動電流を抑え、発熱を抑制する。
【００１５】
比較のため、図４に従来の一般的な光ディスク装置のブロック回路を示す。図１と同じ機能を有する構成要素は同一の符号を付しているため、説明は割愛する。
【００１６】
図４の構成と比較して明らかなように、コントロール回路１３が光ヘッド８による記録再生特性に基づく制御のみに依存する従来の光ヘッド装置の構成に、モータ駆動回路３の温度を検出する温度検出回路６と、温度検出回路６で所定の温度を超えたと検出した際にモータ駆動回路３に供給する制御電圧を制限するモータ制御電圧制限回路１４とを備えたことで、コントロール回路１３の制御にスピンドルモータ２の回転に伴う要因も加味できるため、モータ駆動回路３の許容損失内で最大駆動を可能にできる安定な駆動系を構築することができると共に、光ディスク１に対する記録再生動作で必須であるスピンドルモータ２の回転に関する要因も含めた総合的な制御を実現でき、リアルタイム性および高信頼性の光ディスク装置を実現することができる。
【００１７】
本実施形態におけるモータ制御電圧制限回路１４が、モータ駆動回路３に供給する制御電圧を制限する一例を、図２に示す。同図の（ａ）は光ディスク装置の稼働時間に対するモータ制御回路３の温度を温度検出回路６で検出した一例、（ｂ）は（ａ）の温度依存性を示した場合にモータ制御電圧制限回路１４による制御電圧を制限する一例を示す。同図では時刻Ｔ１でモータ駆動回路３が温度ｔ１まで上昇し、温度ｔ１を越えるとモータ制御電圧制限回路１４が制御電圧Ｖ１からＶ２に低下させる様子を示す。
【００１８】
また、更に温度検出回路７により光ディスク装置の温度を検出し、トラバースモータ１６の駆動をコントロール回路１３で遅くなるように制御し、発熱を抑える構成を採用すると、例えば図２の（ａ）に示すよう時刻Ｔ２においてモータ駆動回路３が温度ｔ２まで上昇し、（ｃ）に示すように温度ｔ２においてトラバースモータ１６の駆動を遅くしてシーク時の遅延を増加し発熱を抑えることで、発熱をより抑制することができる。
【００１９】
また、放熱状態を仮想的に得るため、コントロール回路１３でスピンドルモータ２の回転を変化させることを繰り返し、モータ駆動回路３が所定の温度ｔ３を越えたことを温度検出回路６で検出し、そのときの繰り返し回数からモータ制御電圧制限回路１４で制限する電圧を変化させる構成を採用することにより、図２における温度ｔ１およびｔ２、電圧制限値Ｖ１およびＶ２、シーク遅延Δｔを予め確認することができ、光ディスク装置の信頼性をより高めることができる。図３に示すように、所定の温度ｔ３に至るまでの繰り返し回数（または時間）により、放熱係数が高いＡの直線に示す場合と、放熱係数が低いＢの直線に示す場合とが得られる。この放熱係数ＡおよびＢより低い発熱係数とすることにより、モータ駆動回路３の温度上昇によって熱保護回路が動作し、モータ駆動回路３の出力が停止することがないようにできる。このようにすることによりモータ駆動回路３の許容損失の略最大で安定に駆動でき、制御電圧を大きく制限することに比べアクセス時間を短縮することができる。
【産業上の利用可能性】
【００２０】
本発明にかかる光ディスク装置は、高速回転の光ディスク装置等として有用であり特にアクセスを頻繁に行うＤＶＤ−ＲＡＭ等の光ディスク装置に適している。
【図面の簡単な説明】
【００２１】
【図１】本発明の光ディスク装置のブロック構成図
【図２】本発明の実施のモータ制御電圧制限の一例を示した説明図
【図３】本発明の実施のモータ制御電圧制限の他の例を示した説明図
【図４】従来の光ディスク装置のブロック構成図
【符号の説明】
【００２２】
１  光ディスク
２  スピンドルモータ
３  モータ駆動回路
４  モータ制御回路
５  回転数検出回路
６  温度検出回路１
７  温度検出回路２
８  光ヘッド
９  アクチュエータ
１０  アクチュエータ駆動回路
１１  アクチュエータ制御回路
１２  サーボ誤差検出回路
１３  コントロール回路
１４  モータ制御電圧制限回路
１５  信号処理回路
１６  トラバースモータ
１７  トラバース駆動回路
【図１】
2006228338.tif 000003
【図２】
2006228338.tif 000004
【図３】
2006228338.tif 000005
【図４】
2006228338.tif 000006